(57)【要約】【課題】  グローバルローミングサービスのためのセル探索時に、周波数帯域をより效率的に管理し得る周波数探索方法を提供しようとする。【解決手段】  本発明による移動通信端末機の周波数探索方法は、ネットワークからシステム情報を受信する段階と、前記受信されたシステム情報から各サービスベンダー別の使用周波数を獲得して格納する段階と、前記格納された周波数を探索する段階と、を順次行うことを特徴とする。ネットワークからシステム情報を受信する段階と、前記受信されたシステム情報から各サービスベンダー別の使用周波数を獲得して格納する段階と、前記格納された周波数を探索する段階と、を順次行うことで周波数を探索する。【選択図】図１
2004215259.tif 000002
【特許請求の範囲】
【請求項１】
ネットワークからシステム情報を受信する段階と、
前記受信されたシステム情報から各サービスベンダー別の使用周波数を獲得して格納する段階と、
前記格納された周波数を探索する段階と、
を順次行うことを特徴とする移動通信端末機の周波数探索方法。
【請求項２】
周波数探索時に、前記既格納された該当のサービスベンダーの周波数を優先的にセル探索する段階を追加して行うことを特徴とする請求項１に記載の移動通信端末機の周波数探索方法。
【請求項３】
前記各サービスベンダー別の使用周波数は、端末の内部メモリに格納されることを特徴とする請求項１に記載の移動通信端末機の周波数探索方法。
【請求項４】
前記システム情報は、
システム情報ブロック（Ｓｙｓｔｅｍ  Ｉｎｆｏｒｍａｔｉｏｎ  Ｂｌｏｃｋ；以下、ＳＩＢと略称す）に包含されることを特徴とする請求項１に記載の移動通信端末機の周波数探索方法。
【請求項５】
前記ＳＩＢは、各サービスベンダー別の使用周波数を包含して伝送されることを特徴とする請求項４に記載の移動通信端末機の周波数探索方法。
【請求項６】
前記システム情報は、ＢＣＣＨ（Ｂｒｏａｄｃａｓｔ  Ｃｏｎｔｒｏｌ  Ｃｈａｎｎｅｌ）を通して伝送されることを特徴とする請求項１に記載の移動通信端末機の周波数探索方法。
【請求項７】
前記格納された該当のサービスベンダーの周波数から所望の周波数が探索されないとき、周波数帯域別に再びセル探索を行う段階を追加して行うことを特徴とする請求項１に記載の移動通信端末機の周波数探索方法。
【請求項８】
ネットワークからシステム情報を受信して、既格納された周波数を更新する段階を追加して行うことを特徴とする請求項１に記載の移動通信端末機の周波数探索方法。
【請求項９】
ネットワークからサービスベンダー別の使用周波数を受信する段階と、
前記受信された使用周波数を格納する段階と、
周波数探索時に、前記格納された該当のサービスベンダーの周波数を優先的にセル探索する段階と、
前記格納された該当のサービスベンダーの周波数から所望の周波数が探索されないとき、周波数帯域別に再びセル探索を行う段階と、
を順次行うことを特徴とする移動通信端末機の周波数探索方法。
【請求項１０】
前記使用周波数は、ＳＩＢ（Ｓｙｓｔｅｍ  Ｉｎｆｏｒｍａｔｉｏｎ  Ｂｌｏｃｋ）を通して伝送されることを特徴とする請求項９に記載の移動通信端末機の周波数探索方法。
【請求項１１】
前記ネットワークは、ＵＴＲＡＮ（ＵＭＴＳ  Ｔｅｒｒｅｓｔｒｉａｌ  Ｒａｄｉｏ  Ａｃｃｅｓｓ  Ｎｅｔｗｒｏｋ）のＲＲＣ（Ｒａｄｉｏ  Ｒｅｓｏｕｒｃｅ  Ｃｏｎｔｒｏｌ）であることを特徴とする請求項９に記載の移動通信端末機の周波数探索方法。
【請求項１２】
前記ＳＩＢは、ＢＣＣＨ（Ｂｒｏａｄｃａｓｔ  Ｃｏｎｔｒｏｌ  Ｃｈａｎｎｅｌ）を通して伝送されることを特徴とする請求項１０に記載の移動通信端末機の周波数探索方法。
【請求項１３】
ネットワークからシステム情報を受信して、既格納された周波数を更新する段階を追加して行うことを特徴とする請求項９に記載の移動通信端末機の周波数探索方法。
【発明の詳細な説明】
【技術分野】
【０００１】
本発明は、移動通信システムに係るもので、詳しくは、移動通信端末機のセル探索方法に関するものである。
【背景技術】
【０００２】
近来、無線移動通信技術の飛躍的な発展によって、無線移動通信端末の普及が幾何級数的に増加している。然し、音声通話以上の大量のデータ通信を無線接続網を通して無線移動通信端末に提供するサービスにおいては、無線移動通信が、まだ既存の有線通信システム迄に至っていないため、大量のデータ通信を可能にする通信システムをＩＭＴ−２０００と称し、世界各国で技術開発及び標準化を進行している。
【０００３】
ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）は、ヨーロッパ式ＩＭＴ−２０００システムであって、ヨーロッパ式標準のＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）から進化した第３世代移動通信システムであり、前記ＧＳＭの核心網（Ｃｏｒｅ  Ｎｅｔｗｏｒｋ）及びＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）接続技術を基盤とした、一層向上した移動通信サービスの提供を目標としている。
【０００４】
図２は、ＵＭＴＳの網構造を示したブロック図で、図示されたように、前記ＵＭＴＳは、端末（Ｕｓｅｒ  Ｅｑｕｉｐｍｅｎｔ；ＵＥ）３０と、ＵＴＲＡＮ（ＵＭＴＳ  Ｔｅｒｒｅｓｔｒｉａｌ  Ｒａｄｉｏ  Ａｃｃｅｓｓ  Ｎｅｔｗｒｏｋ）２０と、核心網（Ｃｏｒｅ  Ｎｅｔｗｏｒｋ；ＣＮ）１０とから構成されている。
【０００５】
また、前記ＵＴＲＡＮ２０は、一つ以上の無線網副システム（Ｒａｄｉｏ  Ｎｅｔｗｏｒｋ  Ｓｕｂ−ｓｙｓｔｅｍ；以下、ＲＮＳと略称す）２１から構成され、各ＲＮＳ２１は、無線網制御機（Ｒａｄｉｏ  Ｎｅｔｗｏｒｋ  Ｃｏｎｔｒｏｌｌｅｒ；以下、ＲＮＣと略称す）２２と、該ＲＮＣ２２により管理される一つ以上のＮｏｄｅ−Ｂ（Ｂａｓｅ  Ｓｔａｔｉｏｎ）２３と、から構成されている。
【０００６】
且つ、前記ＲＮＣ２２は、無線資源を割当及び管理し、前記核心網１０との接続点（Ａｃｃｅｓｓ  Ｐｏｉｎｔ）の役割を担当し、前記Ｎｏｄｅ−Ｂ２３は、上向リンクでは前記端末３０の物理階層から情報を受信し、下向リンクでは前記端末３０にデータを送信して該端末３０に対する前記ＵＴＲＡＮ２０の接続点の役割を担当する。
【０００７】
このとき、前記ＵＴＲＡＮ２０の主機能は、前記端末３０と核心網１０間の通話のため、無線接続運搬者（Ｒａｄｉｏ  Ａｃｃｅｓｓ  Ｂｅａｒｅｒ；以下、ＲＡＢと略称す）を構成及び維持することである。即ち、前記核心網１０は、終端間（ｅｎｄ−ｔｏ−ｅｎｄ）のサービス品質（Ｑｕａｌｉｔｙ  ｏｆ  Ｓｅｒｖｉｃｅ；以下、ＱｏＳと略称す）要求事項を前記ＲＡＢに適用し、該ＲＡＢは、前記核心網１０が設定した前記ＱｏＳ要求事項を支援する。よって、前記ＵＴＲＡＮ２０は、前記ＲＡＢを構成及び維持することで、終端間のＱｏＳ要求事項を充足することができる。
【０００８】
図３は、ＵＭＴＳの無線接続インタフェースプロトコルを示したブロック図で、図示されたように、前記ＵＭＴＳにおいて、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）の無線接続網規格を基盤とする端末３０とＵＴＲＡＮ２０間の無線接続インタフェース（Ｒａｄｉｏ  Ａｃｃｅｓｓ  Ｉｎｔｅｒｆａｃｅ）プロトコルは、通信システムにおいて公知された開放型相互接続（Ｏｐｅｎ  Ｓｙｓｔｅｍ  Ｉｎｔｅｒｃｏｎｎｅｃｔｉｏｎ；ＯＳＩ）基準モデルに基づいている。
【０００９】
且つ、前記ＵＭＴＳの無線プロトコル中、最上部に位置した無線資源制御（Ｒａｄｉｏ  Ｒｅｓｏｕｒｃｅ  Ｃｏｎｔｒｏｌ；以下、ＲＲＣと略称す）階層は、無線運搬者（Ｒａｄｉｏ  Ｂｅａｒｅｒ；以下、ＲＢと略称す）の設定、再設定及び解除と関連して伝送チャンネル及び物理チャンネルを制御する。ここで、前記ＲＢは、端末３０とＵＴＲＡＮ２０間のデータ伝達のために提供されるサービスをいい、一般に、前記ＲＢを設定するということは、特定サービスを提供するために必要なプロトコル階層及びチャンネルの特性を規定し、具体的なパラメータ及び動作方法を設定する過程をいう。
【００１０】
また、前記ＵＭＴＳは、広帯域サービス及びグローバルローミングサービス（Ｇｌｏｂａｌ  Ｒｏａｍｉｎｇ  Ｓｅｒｖｉｃｅ）の提供を目標とし、全世界的に同様な標準を有し、同帯域の周波数を使用する。
【００１１】
且つ、前記ＵＭＴＳの周波数帯域（ｆｒｅｑｕｅｎｃｙ  ｂａｎｄ）は、ローミングサービスのため、各サービスベンダー（ｓｅｒｖｉｃｅ  ｖｅｎｄｏｒ）別に範囲（ｒａｎｇｅ）が割り当てられる。よって、前記端末３０は、各サービスベンダー別に割り当てられた周波数帯域をスキャンし、セル探索（Ｃｅｌｌ  Ｓｅａｒｃｈ；Ｆｒｅｑｕｅｎｃｙ  Ｓｃａｎ）が終了された周波数を内部メモリ（ＮＶ  ＲＡＭ）に格納し、次回のセル探索に前記格納された周波数情報を利用する。
【特許文献１】韓国特許出願公開第２０００−０４５２５７号明細書
【特許文献２】韓国特許出願公開第２００１−００８７１９号明細書
【特許文献３】韓国特許出願公開第２００１−１１２３３８号明細書
【特許文献４】韓国特許出願公開第２００２−０３７９１６号明細書
【特許文献５】特開２００１−３５８６１２号明細書
【特許文献６】特開２００２−１３５１６７号明細書
【特許文献７】米国特許第６３７０１３０号明細書
【発明の開示】
【発明が解決しようとする課題】
【００１２】
然るに、このような従来の移動通信端末の周波数探索方法においては、一般にＵＭＴＳでグローバルローミングサービスを提供するとき、フルスキャン（ｆｕｌｌ  ｓｃａｎ）が必須的であるため、端末が各サービスベンダー別に割り当てられた周波数帯域（ｆｒｅｑｕｅｎｃｙ  ｂａｎｄ）をフルスキャンすることで、セル探索時間が遅れるという不都合な点があった。
【００１３】
また、端末がセル探索により獲得された周波数情報を次回のセル探索に利用するため、セル探索の正確度が低下するという不都合な点があった。
【００１４】
従って、前記ＵＭＴＳにおいて、グローバルローミングサービスのために、より効率的な帯域管理の必要性が台頭した。
【００１５】
本発明は、このような従来の課題に鑑みてなされたもので、グローバルローミングサービスのためのセル探索時に、周波数帯域をより效率的に管理し得る周波数探索方法を提供することを目的とする。
【００１６】
また、本発明の他の目的は、複数のサービスベンダー別の周波数を迅速に探索し得る周波数探索方法を提供することにある。
【課題を解決するための手段】
【００１７】
このような目的を達成するため、本発明に係る移動通信端末機の周波数探索方法においては、ネットワークからシステム情報を受信する段階と、前記受信されたシステム情報から各サービスベンダー別の使用周波数を獲得して格納する段階と、前記格納された周波数を探索する段階と、を順次行うことを特徴とする。
【００１８】
また、前記周波数探索方法は、周波数探索時に、前記既格納された該当のサービスベンダーの周波数を優先的にセル探索する段階を追加して包含することを特徴とする。
【００１９】
且つ、前記各サービスベンダー別の使用周波数は、端末の内部メモリ（ＮＶ  ＲＡＭ）に格納されることを特徴とする。
【００２０】
また、前記システム情報は、システム情報ブロック（Ｓｙｓｔｅｍ  Ｉｎｆｏｒｍａｔｉｏｎ  Ｂｌｏｃｋ；以下、ＳＩＢと略称す）に包含され、該ＳＩＢは、各サービスベンダー別の使用周波数を包含して伝送されることを特徴とする。且つ、前記システム情報は、ＢＣＣＨ（Ｂｒｏａｄｃａｓｔ  Ｃｏｎｔｒｏｌ  Ｃｈａｎｎｅｌ）を通して伝送されることを特徴とする。
【００２１】
また、前記周波数探索方法は、格納された該当のサービスベンダーの周波数から所望の周波数が探索されないとき、周波数帯域別に再びセル探索を行う段階を追加して包含することを特徴とする。
【００２２】
また、前記周波数探索方法は、ネットワークからシステム情報を受信して、既格納された周波数を更新する段階を追加して包含することを特徴とする。
【００２３】
そして、本発明に係る移動通信端末機の周波数探索方法においては、ネットワークからサービスベンダー別の使用周波数を受信する段階と、前記受信された使用周波数を格納する段階と、周波数探索時に、前記格納された該当のサービスベンダーの周波数を優先的にセル探索する段階と、前記格納された該当のサービスベンダーの周波数から所望の周波数が探索されないとき、周波数帯域別に再びセル探索を行う段階と、を包含することを特徴とする。
【００２４】
且つ、前記使用周波数は、ＳＩＢを通して伝送されることを特徴とする。
【００２５】
また、前記ネットワークは、ＵＴＲＡＮのＲＲＣ（Ｒａｄｉｏ  Ｒｅｓｏｕｒｃｅ  Ｃｏｎｔｒｏｌ）であることを特徴とする。
【００２６】
また、前記ＳＩＢは、ＢＣＣＨ（Ｂｒｏａｄｃａｓｔ  Ｃｏｎｔｒｏｌ  Ｃｈａｎｎｅｌ）を通して伝送されることを特徴とする。
【００２７】
また、前記周波数探索方法は、ネットワークからシステム情報を受信して、既格納された周波数を更新する段階を追加して包含することを特徴とする。
【００２８】
本発明による移動通信端末機の周波数探索方法は、ネットワークからシステム情報を受信する段階と、前記受信されたシステム情報から各サービスベンダー別の使用周波数を獲得して格納する段階と、前記格納された周波数を探索する段階と、を順次行うことを特徴とし、これにより上記目的を達成する。
【００２９】
周波数探索時に、前記既格納された該当のサービスベンダーの周波数を優先的にセル探索する段階を追加して行ってもよい。
【００３０】
前記各サービスベンダー別の使用周波数は、端末の内部メモリに格納されてもよい。
【００３１】
前記システム情報は、システム情報ブロック（Ｓｙｓｔｅｍ  Ｉｎｆｏｒｍａｔｉｏｎ  Ｂｌｏｃｋ；以下、ＳＩＢと略称す）に包含されてもよい。
【００３２】
前記ＳＩＢは、各サービスベンダー別の使用周波数を包含して伝送されてもよい。
【００３３】
前記システム情報は、ＢＣＣＨ（Ｂｒｏａｄｃａｓｔ  Ｃｏｎｔｒｏｌ  Ｃｈａｎｎｅｌ）を通して伝送されてもよい。
【００３４】
前記格納された該当のサービスベンダーの周波数から所望の周波数が探索されないとき、周波数帯域別に再びセル探索を行う段階を追加して行ってもよい。
【００３５】
ネットワークからシステム情報を受信して、既格納された周波数を更新する段階を追加して行ってもよい。
【００３６】
本発明による移動通信端末機の周波数探索方法は、ネットワークからサービスベンダー別の使用周波数を受信する段階と、前記受信された使用周波数を格納する段階と、周波数探索時に、前記格納された該当のサービスベンダーの周波数を優先的にセル探索する段階と、前記格納された該当のサービスベンダーの周波数から所望の周波数が探索されないとき、周波数帯域別に再びセル探索を行う段階と、を順次行うことを特徴とし、これにより上記目的を達成する。
【００３７】
前記使用周波数は、ＳＩＢ（Ｓｙｓｔｅｍ  Ｉｎｆｏｒｍａｔｉｏｎ  .Ｂｌｏｃｋ）を通して伝送されてもよい。
【００３８】
前記ネットワークは、ＵＴＲＡＮ（ＵＭＴＳ  Ｔｅｒｒｅｓｔｒｉａｌ  Ｒａｄｉｏ  Ａｃｃｅｓｓ  Ｎｅｔｗｒｏｋ）のＲＲＣ（Ｒａｄｉｏ  Ｒｅｓｏｕｒｃｅ  Ｃｏｎｔｒｏｌ）であってもよい。
【００３９】
前記ＳＩＢは、ＢＣＣＨ（Ｂｒｏａｄｃａｓｔ  Ｃｏｎｔｒｏｌ  Ｃｈａｎｎｅｌ）を通して伝送されてもよい。
【００４０】
ネットワークからシステム情報を受信して、既格納された周波数を更新する段階を追加して行ってもよい。
【発明の効果】
【００４１】
本発明に係る移動通信端末機の周波数探索方法においては、端末がシステム情報ブロック（ＳＩＢ）に包含されたサービスベンダー別に割り当てられた周波数情報を受信して内部メモリに格納し、その後、前記該格納されたサービスベンダー別の周波数に対するチャンネルを優先的に探索することで、複数のサービスベンダー別に割り当てられた周波数を迅速に探索し得るため、従来の全体セルに対する探索動作を改善して登録時間を減少し得るという効果がある。
【発明を実施するための最良の形態】
【００４２】
以下、本発明の実施の形態に対し、図面に基づいて説明する。
【００４３】
本発明は、サービスベンダー別に割り当てられた周波数をより迅速に探索し得る方案を提案する。ＵＴＲＡＮ（ネットワーク）のＲＲＣ階層は、類似した特性を有するシステム情報、即ち、各サービスベンダー（ｓｅｒｖｉｃｅ  ｖｅｎｄｏｒ）別に周波数情報をグループ化してＳＩＢ（Ｓｙｓｔｅｍ  Ｉｎｆｏｒｍａｔｉｏｎ  Ｂｌｏｃｋ）を構成した後、ＢＣＣＨ（Ｂｒｏａｄｃａｓｔ  Ｃｏｎｔｒｏｌ  Ｃｈａｎｎｅｌ）を通して端末３０に伝送する。
【００４４】
このとき、前記端末３０は、前記受信されたＳＩＢから各サービスベンダー別の周波数を獲得して内部メモリに格納し、該格納された周波数を次回のセル探索（ｆｒｅｑｕｅｎｃｙ  ｓｃａｎ）に使用する。本発明は、説明の便宜上、前記端末３０の内部メモリに各サービスベンダー別の周波数が既に格納されていることと仮定する。
【００４５】
図１は、本発明に係る移動通信端末機の周波数探索方法を示した順序図で、図示されたように、本発明に係る移動通信端末機の周波数探索方法においては、ユーザが端末３０の電源を最初オン（ＯＮ）すると、前記端末３０は、適切なセルを探索するため、優先的に内部メモリに格納された周波数をリードして（Ｓ１）、該当のサービスベンダーの周波数に対しセル探索過程を行う（Ｓ２）。
【００４６】
即ち、前記内部メモリに格納された該当のサービスベンダーの周波数に対し、前記端末３０は、同期化チャンネル（Ｓｙｎｃｈｒｏｎｉｚａｔｉｏｎ  Ｃｈａｎｎｅｌ；以下、ＳＣＨと略称す）の最初の同期化コードを利用してスロット同期を探索し、前記ＳＣＨの二番目の同期化コードを利用してフレーム同期及びコードグループの認識を行う。このようにスロット同期化、フレーム同期化及びコードグループの認識が正常に実行されると、前記端末３０は、認識されたコードグループに属しているスクランブリングコードから該当のスクランブリングコードを認識する過程を通して、周波数を探索し、通話チャンネルを連結する。
【００４７】
次いで、前記格納された該当のサービスベンダーの周波数から所望の周波数が探索されたかを判断し（Ｓ３）、所望の周波数が探索されないと、前記端末３０は、周波数帯域別に探索を行う（Ｓ４）。
【００４８】
一旦、前記ＵＴＲＡＮ２０と端末３０間の通話チャンネルが連結されると、該端末３０は、ＢＣＣＨチャンネルを通してシステム情報（Ｓｙｓｔｅｍ  Ｉｎｆｏｒｍａｔｉｏｎ）を受信して（Ｓ５）、前記内部メモリに格納された各サービスベンダー別の使用周波数を更新する（Ｓ６）。前記内部メモリの更新された周波数は、次回のセル探索（ｆｒｅｑｕｅｎｃｙ  ｓｃａｎ）に使用される。よって、前記端末３０は、全体周波数帯域の周波数に対しセル探索を行うことなく、サービスベンダーの周波数帯域別にセル探索を行うため、セル探索時間が減少する。
【００４９】
その後、通話チャンネル連結状態で呼発信又は着信が要求されると、前記端末３０のプロトコル個体（Ｐｒｏｔｏｃｏｌ  Ｅｎｔｉｔｙ）であるＲＲＣは、ＲＡＣＨ（Ｒａｎｄｏｍ  Ａｃｃｅｓｓ  Ｃｈａｎｎｅｌ）を通して、前記ＵＴＲＡＮ２０にＲＲＣ連結要請（ＲＲＣ  ｃｏｎｎｅｃｔｉｏｎ  ｒｅｑｕｅｓｔ）メッセージを伝送し、前記ＵＴＲＡＮ２０は、ＦＡＣＨ（Ｆｏｒｗａｒｄ  Ａｃｃｅｓｓ  Ｃｈａｎｎｅｌ）を通して、前記端末３０にＲＲＣ連結設定（ＲＲＣ  ｃｏｎｎｅｃｔｉｏｎ  ｓｅｔｕｐ）メッセージを伝送する。よって、前記端末３０は、前記ＲＲＣ連結設定メッセージによってＲＲＣ連結を設定した後、ＤＣＨ（Ｄｅｄｉｃａｔｅｄ  Ｃｈａｎｎｅｌ）を通して、前記ＵＴＲＡＮ２０にＲＲＣ連結設定終了（ＲＲＣ  ｃｏｎｎｅｃｔｉｏｎ  ｓｅｔｕｐ  ｃｏｍｐｌｅｔｅ）メッセージを伝送する。
【００５０】
このように、前記端末３０がＲＲＣ連結設定メッセージを成功的に伝送すると、該端末３０は、前記ＵＴＲＡＮ２０とＲＲＣ連結を結び、音声やデータなどのユーザトラフィックを送受信し得る連結モード（ｃｏｎｎｅｃｔｅｄ  ｍｏｄｅ）に進行する（Ｓ７）。
【００５１】
次いで、前記端末３０は、位置情報更新を前記ＵＴＲＡＮ２０に要請（Ｌｏｃａｔｉｏｎ  Ｕｐｄａｔｉｎｇ  Ｒｅｑｕｅｓｔ）し（Ｓ８）、該ＵＴＲＡＮが前記端末３０の位置を確認して現在の位置情報を伝送すると、その位置情報に更新した後、更新が終了したこと（Ｌｏｃａｔｉｏｎ  Ｕｐｄａｔｉｎｇ  Ａｃｃｅｐｔ）を前記ＵＴＲＡＮ２０に知らせることで（Ｓ９）、グローバルローミングサービスのための登録が終了する。
【００５２】
以後、通信連結状態を持続しているとき、チャンネルエラー、通話終了などが発生すると、前記端末３０のプロトコル個体であるＲＲＣは、前記ＤＣＨを通して、前記ＵＴＲＡＮ２０にＲＲＣ連結解除（ＲＲＣ  ｃｏｎｎｅｃｔｉｏｎ  ｒｅｌｅａｓｅ）メッセージを伝送し、該ＵＴＲＡＮ２０は、前記ＤＣＨを通して、ＲＲＣ連結解除終了（ＲＲＣ  ｃｏｎｎｅｃｔｉｏｎ  ｒｅｌｅａｓｅ  ｃｏｍｐｌｅｔｅ）メッセージを前記端末３０に伝送することで、通話のための呼連結を解除する（Ｓ１０）。
【００５３】
以上説明したように、本発明に係る移動通信端末機の周波数探索方法においては、端末３０がシステム情報ブロック（ＳＩＢ）に包含されたサービスベンダー別に割り当てられた周波数情報を受信して内部メモリに格納し、その後、前記該格納されたサービスベンダー別の周波数に対するチャンネルを優先的に探索することで、複数のサービスベンダー別に割り当てられた周波数を迅速に探索し得るため、従来の全体セルに対する探索動作を改善して登録時間を減少し得るという効果がある。
【００５４】
（要約）
グローバルローミングサービスのためのセル探索時に、周波数帯域をより效率的に管理し得る周波数探索方法を提供しようとする。ネットワークからシステム情報を受信する段階と、前記受信されたシステム情報から各サービスベンダー別の使用周波数を獲得して格納する段階と、前記格納された周波数を探索する段階と、を順次行うことで周波数を探索する。
【００５５】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【図面の簡単な説明】
【００５６】
【図１】本発明に係る移動通信端末機の周波数探索方法を示した順序図である。
【図２】一般のＵＭＴＳ網を示したブロック図である。
【図３】ＵＭＴＳの無線接続インタフェースプロトコルを示したブロック図である。
【符号の説明】
【００５７】
１０  核心網
２０  ＵＴＲＡＮ
２１  無線網副システム
２２  ＲＮＣ
２３  Ｎｏｄｅ−Ｂ
３０  端末
【図１】
2004215259.tif 000003
【図２】
2004215259.tif 000004
【図３】
2004215259.tif 000005